【手続補正書】
【提出日】平成28年4月8日(2016.4.8)
【手続補正１】
【補正対象書類名】明細書
【補正対象項目名】００６７
【補正方法】変更
【補正の内容】
【００６７】
（ST7）
電池使用可能判別量計算部（残存価値計算部）7は、電池性能判別関数記憶部17から当該用途に対応する電池性能判別関数を読み出し、電池性能判別空間変換計算部2で計算された変換後蓄電池データに基づき、対象蓄電池について、当該用途の単純残存価値を計算する。図8の左側に、中古EV、定置蓄電池、スクータの3つの用途に応じてそれぞれ単純残存価値を計算する例を示す。この３用途は説明用の一例であり，本発明はこれら3用途に限定されるものではない．
電池性能判別関数の数学的な定義は限定されないが、電池性能判別空間上の状態量（変換後蓄電池データ）を入力とし、戻り値は実数値とする。戻り値の符号が正なら対象電池は使用可能、負なら使用不可能に対応する（図4参照）。電池性能判別関数fの出力を単純残存価値と定義してもよいが、0以下の負値は全て0とみなす等のフィルタ処理を加えてもよい。また電池性能判別関数fの出力が負（使用不可能）であれば、警告信号を生成して、電池状態表示部4に通知する。
【手続補正２】
【補正対象書類名】特許請求の範囲
【補正対象項目名】全文
【補正方法】変更
【補正の内容】
【特許請求の範囲】
【請求項１】
蓄電池の複数の状態量を、前記蓄電池の用途に応じた判別空間変換関数により、１次元以上の次元数の判別空間上の座標に写像する変換計算部と、
少なくとも前記判別空間上の座標に写像された状態量が、前記判別空間を蓄電池の使用可能領域と使用不可領域とに区分する電池性能判別関数に対し前記使用可能領域と前記使用不可領域のどちらに属するかにに基づき、前記蓄電池の残存価値を計算する残存価値計算部と
を備えた蓄電池診断装置。
【請求項２】
複合残存価値計算部をさらに備え、
前記変換計算部は、前記蓄電池の複数の用途のそれぞれに応じた判別空間変換関数により、前記複数の状態量を、前記用途毎の判別空間上の座標に写像し、
前記残存価値計算部は、前記用途毎の判別空間上の座標に写像された状態量が、前記用途毎の判別空間を使用可能領域と使用不可領域とに区分する電池性能判別関数に対し前記使用可能領域と前記使用不可領域のどちらに属するかに基づき、前記用途毎の前記蓄電池の残存価値を計算し、
前記複合残存価値計算部は、前記用途毎の前記残存価値を前記用途ごとの重み係数で重み付け総和することにより、前記蓄電池の複合残存価値を計算する
請求項1に記載の蓄電池診断装置。
【請求項３】
前記蓄電池を測定して前記蓄電池の複数の状態量を取得する電池状態測定部
をさらに備えた請求項1または2に記載の蓄電池診断装置。
【請求項４】
前記蓄電池の用途を1つ以上入力する蓄電池用途入力部
をさらに備えた請求項1ないし3のいずれか一項に記載の蓄電池診断装置。
【請求項５】
第1測定時点および前記第1測定時点より後の第2測定時点のそれぞれにおける蓄電池の複数の状態量を、前記蓄電池の用途に応じた判別空間変換関数により、１次元以上の次元数の判別空間上の第1座標および第2座標に写像する第1計算部と、
前記判別空間を蓄電池の使用可能領域と使用不可領域とに区分する電池性能判別関数について、前記第1座標および前記第2座標が前記使用可能領域に属する場合に、前記第1座標から前記電池性能判別関数上の最近傍点を求め、前記第1座標から前記第2座標へのベクトルについて、前記第1座標から前記最近傍点への方向の前記ベクトルの成分を計算する第2計算部と、
前記成分の長さを前記第1測定時点および前記第2測定時点間の時間長で除した比率に基づいて、前記蓄電池の劣化進行を診断する劣化判定部と、
を備えた蓄電池診断装置。
【請求項６】
前記劣化判定部は、前記比率が閾値を超えた場合に、警告信号を出力する
請求項5に記載の蓄電池診断装置。
【請求項７】
前記劣化判定部は、前記第2座標と前記電池性能判別関数との距離が閾値以下になったら警告信号を出力する
請求項5または6に記載の蓄電池診断装置。
【請求項８】
第1測定時点および前記第1測定時点より後の第2測定時点のそれぞれにおける蓄電池の複数の状態量を、前記蓄電池の用途に応じた判別空間変換関数により、１次元以上の次元数の判別空間上の第1座標および第2座標にそれぞれ写像し、前記第1座標から前記第2座標へのベクトルを前記第2座標および第1座標の測定時点間の時間長で除算して第1ベクトルを取得する第1ベクトル取得部と、
前記蓄電池とは別の少なくとも1つの蓄電池について、複数の測定時点毎に当該蓄電池の複数の状態量を含むデータを格納する蓄電池状態量記憶部と、
前記格納部内の各前記データを読み出し、各前記データを前記判別空間変換関数により前記判別空間上の座標へ写像し、前記座標の中から前記第2座標との距離に応じて少なくとも1つの座標を第3座標として選択し、前記座標のうち前記第3座標の次の測定時点に対応する座標である第4座標に対する前記第3座標からのベクトルを前記第4座標および第3座標の測定時点間の時間長で除算して第2ベクトルを取得する第2ベクトル取得部と、
前記第1ベクトルと前記第2ベクトルを合成して予測ベクトルを得る予測ベクトル取得部と、
前記第2測定時点より後の第3測定時点と前記第2測定時点間の時間長を前記予測ベクトルに乗算し、乗算結果を前記第2座標に加算することにより、前記判別空間において前記第3測定時点の前記蓄電池の状態量の写像先を予測し、前記判別空間を蓄電池の使用可能領域と使用不可領域とに区分する判別関数と前記写像先と基づいて、前記蓄電池の将来使用可否を診断する将来使用可否決定部と
を備えた蓄電池診断装置。
【請求項９】
前記将来使用可否決定部は、前記写像先が前記使用不可領域に属するときは、警告信号を出力する
ことを特徴とする請求項8に記載の蓄電池診断装置。
【請求項１０】
前記将来使用可否決定部は、前記写像先が前記使用可能領域に属し、前記写像先と前記判別関数との距離が閾値以下のときは、警告信号を出力する
ことを特徴とする請求項8または9に記載の蓄電池診断装置。
【請求項１１】
蓄電池の複数の状態量を、前記蓄電池の用途に応じた判別空間変換関数により、１次元以上の次元数の判別空間上の座標に写像する変換計算ステップと、
少なくとも前記判別空間上の座標に写像された状態量が、前記判別空間を蓄電池の使用可能領域と使用不可領域とに区分する電池性能判別関数に対し前記使用可能領域と前記使用不可領域のどちらに属するかに基づき、前記蓄電池の残存価値を計算する残存価値計算ステップと
を備えた蓄電池診断方法。
【請求項１２】
第1測定時点および前記第1測定時点より後の第2測定時点のそれぞれにおける蓄電池の複数の状態量を、前記蓄電池の用途に応じた判別空間変換関数により、１次元以上の次元数の判別空間上の第1座標および第2座標に写像する第1計算ステップと、
前記判別空間を蓄電池の使用可能領域と使用不可領域とに区分する電池性能判別関数について、前記第1座標および前記第2座標が前記使用可能領域に属する場合に、前記第1座標から前記電池性能判別関数上の最近傍点を求め、前記第1座標から前記第2座標へのベクトルについて、前記第1座標から前記最近傍点への方向の前記ベクトルの成分を計算する第2計算ステップと、
前記成分の長さを前記第1測定時点および前記第2測定時点間の時間長で除した比率に基づいて、前記蓄電池の劣化進行を診断する劣化判定ステップと、
を備えた蓄電池診断方法。
【請求項１３】
第1測定時点および前記第1測定時点より後の第2測定時点のそれぞれにおける蓄電池の複数の状態量を、前記蓄電池の用途に応じた判別空間変換関数により、１次元以上の次元数の判別空間上の第1座標および第2座標にそれぞれ写像し、前記第1座標から前記第2座標へのベクトルを前記第2座標および第1座標の測定時点間の時間長で除算して第1ベクトルを取得する第1ベクトル取得ステップと、
前記蓄電池とは別の少なくとも1つの蓄電池について、複数の測定時点毎に当該蓄電池の複数の状態量を含むデータを格納する蓄電池状態量記憶部から前記データを読み出すステップと、
前記格納部内の各前記データを読み出し、各前記データを前記判別空間変換関数により前記判別空間上の座標へ写像し、前記座標の中から前記第2座標との距離に応じて少なくとも1つの座標を第3座標として選択し、前記座標のうち前記第3座標の次の測定時点に対応する座標である第4座標に対する前記第3座標からのベクトルを前記第4座標および第3座標の測定時点間の時間長で除算して第2ベクトルを取得する第2ベクトル取得ステップと、  
前記第1ベクトルと前記第2ベクトルを合成して予測ベクトルを得る予測ベクトル取得ステップと、
前記第2測定時点より後の第3測定時点と前記第2測定時点間の時間長を前記予測ベクトルに乗算し、乗算結果を前記第2座標に加算することにより、前記判別空間において前記第3測定時点の前記蓄電池の状態量の写像先を予測し、前記判別空間を蓄電池の使用可能領域と使用不可領域とに区分する判別関数と前記写像先とに基づいて、前記蓄電池の将来使用可否を診断する将来使用可否決定ステップと
を備えた蓄電池診断方法。